(57)【要約】【課題】ユーザに対するマイナス電位分布の形成効率を著しく向上させることが可能な電位治療用寝具システムを提供する。【解決手段】負電位を有する高圧高周波パルスを発生する電位治療器本体１と電位治療器本体１より高圧高周波パルスを出力される電床板とから成る電位治療器を寝具に内蔵するようにした電位治療用寝具システムは、電位治療器本体１および電位治療器本体１より直接高圧高周波パルスを出力される敷布団用電床板３を敷布団４に内蔵するとともに、電位治療器本体１から出力される高圧高周波パルスを敷布団用電床板３および連結コネクタ５を介して出力される掛布団用電床板６を掛布団８に内蔵し、敷布団用電床板３および掛布団用電床板６はそれぞれ、負電位電極および零電位電極より成る電極対を２対以上具備して成るように構成されている。【選択図】        図１
2004305497.tif 000002
【特許請求の範囲】
【請求項１】
負電位を有する高圧高周波パルスを発生する電位治療器本体と該電位治療器本体より高圧高周波パルスを出力される電床板とから成る電位治療器を寝具に内蔵するようにした電位治療用寝具システムであって、
前記電位治療器本体および該電位治療器本体より直接高圧高周波パルスを出力される敷布団用電床板を敷布団に内蔵するとともに、前記電位治療器本体から出力される高圧高周波パルスを前記敷布団用電床板および連結コネクタを介して出力される掛布団用電床板を掛布団に内蔵し、
前記敷布団用電床板および掛布団用電床板はそれぞれ、負電位電極および零電位電極より成る電極対を２対以上具備して成ることを特徴とする電位治療用寝具システム。
【請求項２】
負電位を有する高圧高周波パルスを発生する電位治療器本体と該電位治療器本体より高圧高周波パルスを出力される電床板とから成る電位治療器を寝具に内蔵するようにした電位治療用寝具システムであって、
前記電位治療器本体および該電位治療器本体より直接高圧高周波パルスを出力される掛布団用電床板を掛布団に内蔵するとともに、前記電位治療器本体から出力される高圧高周波パルスを前記掛布団用電床板および連結コネクタを介して出力される敷布団用電床板を敷布団に内蔵し、
前記敷布団用電床板および掛布団用電床板はそれぞれ、負電位電極および零電位電極より成る電極対を２対以上具備して成ることを特徴とする電位治療用寝具システム。
【請求項３】
前記負電位電極および零電位電極より成る電極対は、前記敷布団および掛布団の長手方向に対し直交する方向に配置することを特徴とする請求項１または２記載の電位治療用寝具システム。
【請求項４】
前記掛布団に増設電位治療器本体を接続するためのコネクタを設けたことを特徴とする請求項１記載の電位治療用寝具システム。
【請求項５】
前記敷布団に増設電位治療器本体を接続するためのコネクタを設けたことを特徴とする請求項２記載の電位治療用寝具システム。
【発明の詳細な説明】
【０００１】
【発明の属する技術分野】
本発明は、負電位を有する高圧高周波パルスを発生する電位治療器本体と該電位治療器本体より高圧高周波パルスを出力される電床板とから成る電位治療器を寝具に内蔵するようにした電位治療用寝具システムに関するものである。
【０００２】
【従来の技術】
電位治療器は、交流電界、直流電界または絶縁状態に置いた人体に電気エネルギー（例えば高電位）を与えて治療する機器である。この電位治療器を用いて、例えば人体を絶縁状態に置いた状態で３００〜１００００Ｖの負電位を与えると、循環血液中のナトリウムおよびカルシウムのイオン化量が増大するため、酸性化している人体を弱アルカリ化することができる。この電位治療器は、高電位を用いているが、接地しても人体に電流が流れないので安全性に優れている。
【０００３】
電位治療器には上記のような利点があるが、現在市販されているものの大部分は、大型で重いタイプの電位治療器であるため、寝具としての敷布団には内蔵させることが可能であるが、寝具としての掛布団に内蔵させることは困難だった。そのため、上記のような大型で重い電位治療器を用いて電位治療用寝具システムを構成する際には、例えば、「電床板を内蔵させた敷布団に対し電位治療器を外置きして両者をコードで接続するタイプの電位治療用寝具システム」として構成されることになる。
【０００４】
上述した「電位治療器外置きタイプの電位治療用寝具システム」としては、例えば、図７（ａ）に示すように、敷布団５１に内蔵させた１個の電床板（マイナス電床）５２に、外部に設置した電位治療器５３から負電位を有する高圧高周波パルスを出力するように構成したものと、図８（ａ）に示すように、敷布団５１に内蔵させた２個の電床板（マイナス電床５２−１およびプラス電床５２−２）にそれぞれ、外部に設置した電位治療器５３から高圧高周波パルスを出力するように構成したものとがある。図７（ａ）の構成を使用して電位治療を行う場合には、敷布団５１上のユーザ５４のプラス電位に対しマイナス電床５２からのマイナス電位が図７（ｂ）に示すように作用するので、ユーザ５４の人体のマイナス電床５２に対応する部分にマイナス電位が残存することになる。一方、図８（ａ）の構成を使用して電位治療を行う場合には、敷布団５１上のユーザ５４には図８（ｂ）に示すようにマイナス電床５２−１からのマイナス電位がプラス電床５２−２に向かって作用するが、マイナス電位の通過域に存在するユーザ５４の人体のプラス電位と作用することになるので、結果的にユーザ５４の人体のマイナス電床５２−１およびプラス電床５２−２間に対応する部分にマイナス電位が分布することになる。
【０００５】
一方、本願出願人は、上記のような電位治療器の利点を活かすため、先に、電位治療器（好ましくは小型軽量化した電位治療器）を寝具（敷布団または掛布団）に内蔵するようにした電位治療用寝具システム（例えば特許文献１参照）を提案済みである。この電位治療用寝具システムは、例えば電池式の電位治療器を電位発生器および電床板により構成して該電位治療器をふとんに内蔵し、電位発生器により発生した負電位を有する高圧高周波パルスを電床板に出力するように構成されているため、上記ふとんを利用するユーザ（敷きふとん上に寝たユーザまたは掛けふとんを掛けたユーザ）の全身治療を行う場合に適した電位治療器内蔵型ふとんとなる。
【０００６】
【特許文献１】
登録実用新案第３０５９００３号公報
【０００７】
【発明が解決しようとする課題】
上述した従来の電位治療器外置きタイプの電位治療用寝具システムおよび特許文献１に記載された電位治療用寝具システムは、何れも、掛布団、敷布団の一方のみに電床板を設ける構成としていたため、掛布団および敷布団間に位置するユーザに対しては、ユーザを横断する方向（掛布団、敷布団のほぼ水平方向）に分布するマイナス電位分布を形成することしかできず、しかも、そのマイナス電位分布を形成し得る範囲が電床板上部近傍に限定されるので、マイナス電位分布の形成効率を高めることが困難であった。
【０００８】
本発明は、ユーザに対するマイナス電位分布の形成効率を著しく向上させることが可能な電位治療用寝具システムを提供することを目的とする。
【０００９】
【課題を解決するための手段】
上記目的を達成するため、請求項１に記載の第１発明は、負電位を有する高圧高周波パルスを発生する電位治療器本体と該電位治療器本体より高圧高周波パルスを出力される電床板とから成る電位治療器を寝具に内蔵するようにした電位治療用寝具システムであって、前記電位治療器本体および該電位治療器本体より直接高圧高周波パルスを出力される敷布団用電床板を敷布団に内蔵するとともに、前記電位治療器本体から出力される高圧高周波パルスを前記敷布団用電床板および連結コネクタを介して出力される掛布団用電床板を掛布団に内蔵し、前記敷布団用電床板および掛布団用電床板はそれぞれ、負電位電極および零電位電極より成る電極対を２対以上具備して成ることを特徴とする。
【００１０】
第１発明によれば、負電位を有する高圧高周波パルスを発生する電位治療器本体および該電位治療器本体より直接高圧高周波パルスを出力される敷布団用電床板を敷布団に内蔵するとともに、前記電位治療器本体から出力される高圧高周波パルスを前記敷布団用電床板および連結コネクタを介して出力される掛布団用電床板を掛布団に内蔵し、前記敷布団用電床板および掛布団用電床板はそれぞれ、負電位電極および零電位電極より成る電極対を２対以上具備して成る構成としたため、（１）敷布団用電床板により形成されるユーザを横断する方向に分布するマイナス電位分布および（２）掛布団用電床板により形成されるユーザを横断する方向に分布するマイナス電位分布に加えて、（３）敷布団用電床板および掛布団用電床板のそれぞれが具備する２対以上の負電位電極および零電位電極の相互間に形成されるユーザを縦断する方向に分布するマイナス電位分布を形成することが可能になる。したがって、負電位電極および零電位電極の多極化に応じて複雑化された立体的なマイナス電位分布を形成することが可能になり、ユーザに対するマイナス電位分布の形成効率を著しく向上させることが可能な電位治療用寝具システムを提供することができる。
【００１１】
上記目的を達成するため、請求項２に記載の第２発明は、負電位を有する高圧高周波パルスを発生する電位治療器本体と該電位治療器本体より高圧高周波パルスを出力される電床板とから成る電位治療器を寝具に内蔵するようにした電位治療用寝具システムであって、前記電位治療器本体および該電位治療器本体より直接高圧高周波パルスを出力される掛布団用電床板を掛布団に内蔵するとともに、前記電位治療器本体から出力される高圧高周波パルスを前記掛布団用電床板および連結コネクタを介して出力される敷布団用電床板を敷布団に内蔵し、前記敷布団用電床板および掛布団用電床板はそれぞれ、負電位電極および零電位電極より成る電極対を２対以上具備して成ることを特徴とする。
【００１２】
第２発明によれば、負電位を有する高圧高周波パルスを発生する電位治療器本体および該電位治療器本体より直接高圧高周波パルスを出力される掛布団用電床板を掛布団に内蔵するとともに、前記電位治療器本体から出力される高圧高周波パルスを前記掛布団用電床板および連結コネクタを介して出力される敷布団用電床板を敷布団に内蔵し、前記敷布団用電床板および掛布団用電床板はそれぞれ、負電位電極および零電位電極より成る電極対を２対以上具備して成る構成としたため、（１）掛布団用電床板により形成されるユーザを横断する方向に分布するマイナス電位分布および（２）敷布団用電床板により形成されるユーザを横断する方向に分布するマイナス電位分布に加えて、（３）敷布団用電床板および掛布団用電床板のそれぞれが具備する２対以上の負電位電極および零電位電極の相互間に形成されるユーザを縦断する方向に分布するマイナス電位分布を形成することが可能になる。したがって、負電位電極および零電位電極の多極化に応じて複雑化された立体的なマイナス電位分布を形成することが可能になり、ユーザに対するマイナス電位分布の形成効率を著しく向上させることが可能な電位治療用寝具システムを提供することができる。
【００１３】
請求項３に記載の第３発明は、前記負電位電極および零電位電極より成る電極対は、前記敷布団および掛布団の長手方向に対し直交する方向に配置することを特徴とする。
【００１４】
第３発明によれば、前記負電位電極および零電位電極より成る電極対は、前記敷布団および掛布団の長手方向に対し直交する方向に配置されるので、ユーザの長手方向に対し直交する方向（敷布団および掛布団の長手方向に対し直交する方向）にマイナス電位分布が形成されることになり、ユーザの所望の部位に対しマイナス電位分布を形成しやすくなる。
【００１５】
請求項４に記載の第４発明は、前記掛布団に増設電位治療器本体を接続するためのコネクタを設けたことを特徴とする。
【００１６】
第４発明によれば、第１発明の掛布団に増設電位治療器本体を接続するためのコネクタを設けたため、別途増設電位治療器本体を用意して上記コネクタに接続することにより、掛布団側単体での電位治療が可能になるとともに、敷布団側、掛布団側をそれぞれ独立させて使用することによって２人のユーザに対する電位治療も可能になる。
【００１７】
請求項５に記載の第５発明は、前記敷布団に増設電位治療器本体を接続するためのコネクタを設けたことを特徴とする。
【００１８】
第５発明によれば、第２発明の敷布団に増設電位治療器本体を接続するためのコネクタを設けたため、別途増設電位治療器本体を用意して上記コネクタに接続することにより、敷布団側単体での電位治療が可能になるとともに、敷布団側、掛布団側をそれぞれ独立させて使用することによる２人のユーザに対する電位治療も可能になる。
【００１９】
【発明の実施の形態】
以下、本発明の実施の形態を図面に基づき詳細に説明する。
図１は本発明の第１実施形態の電位治療用寝具システムの全体構成を示す平面図である。本実施形態の電位治療用寝具システムは、図１に示すように、電位治療器本体１と、電位治療器本体１にコネクタ２によって一端を電気的に接続される敷布団用電床板３と、電位治療器本体１の一部および敷布団用電床板３を内蔵する敷布団４と、敷布団用電床板３の他端に連結コネクタ５によって一端を電気的に接続される掛布団用電床板６と、掛布団用電床板６の他端に電気的に接続される増設用コネクタ７と、掛布団用電床板６および増設用コネクタ７を内蔵する掛布団８とを具備して成る。上記増設用コネクタ７には、電位治療器本体１と同一構造の増設電位治療器本体を接続することが可能である。なお、電位治療器本体１全体を敷布団４に内蔵して、その上部に窓部を設けるようにしてもよい。
【００２０】
上記においては、敷布団４内の敷布団用電床板３と掛布団８内の掛布団用電床板６とは連結コネクタ５によって着脱可能に構成されているため、敷布団４と掛布団８とを連結して使用することは勿論、敷布団４と掛布団８とを分離してそれぞれ独立的に使用することもできる。ただし、敷布団４と掛布団８とを分離してそれぞれ独立的に使用する場合には、増設電位治療器本体を別途用意して、その増設電位治療器本体を掛布団８内の増設用コネクタ７に接続する必要がある。
【００２１】
上記電位治療器本体１は、図２（ａ），（ｂ）に示すように構成されている。電位治療器本体１の上面には、図２（ａ）に示すように、電源スイッチ１ａ、照光式スイッチ（押下による負電位の印加の開始と同時に点灯する表示スイッチ）１ｂ、タイマ時間選択スイッチ（負電位の印加時間を３０分，１５分の何れか一方に選択設定するスイッチ）１ｃ、タイマ設定時間ＬＥＤ１ｄ−１（３０分に対応），１ｄ−２（１５分に対応）、チェック端子１ｅ、チェックＬＥＤ（チェック時点灯）１ｆ、電位レベルアップスイッチ１ｇ−１，電位レベルダウンスイッチ１ｇ−２、電位レベルＬＥＤ１ｈ−１（弱に対応），１ｈ−２（強に対応）等が設けられている。一方、電位治療器本体１の左側面には、図２（ｂ）に示すように、コネクタ２を接続するためのコネクタ受１ｊ−１（負電位に対応），１ｊ−２（零電位に対応）が設けられており、一端をコネクタ受１ｊ−１，１ｊ−２に接続されたコネクタ２の他端は、敷布団用電床板３に設けられた図示しないコネクタに接続されている。
【００２２】
上記電位治療器本体１は、外形寸法が例えば縦１１７ｍｍ、横４５ｍｍ、厚み（最大厚部）２９ｍｍ、重量約１１０ｇになっており、小型軽量化が図られている。そのため、掛布団に内蔵させる構成とした場合であってもユーザに重さを感じさせない。また、駆動電源として電池（例えば９Ｖ；００６Ｐ）を使用し、各種制御用のマイコンを内蔵している。この電位治療器本体１は、例えば３００〜８００Ｖ，１〜６．５ＫＨｚの負電位を有する高圧高周波パルスを発生するように構成されている。
【００２３】
上記敷布団用電床板３を内蔵する敷布団４としては、例えば図３（ａ），（ｂ）に示すような、長さ１９００〜２５００ｍｍ、幅４５０〜１５００ｍｍ、厚さ１０〜１００ｍｍ（例えば４０ｍｍ）のものを用いるものとする。この敷布団４は、例えば図３（ｂ）の断面図において上面側から下面側に向かって、外カバー４ａ，不織布４ｂ，芯材４ｃ，弾性材４ｄ，弾性板４ｅの順に積層された積層構造になっている。外カバー４ａには動物性繊維、植物性繊維、合成繊維、化学繊維等が用いられ、芯材４ｃには動物性繊維、植物性繊維、合成繊維、化学繊維、ゴム系材料、樹脂材、フェルト、羽毛等が用いられ、弾性材４ｄには軟質ウレタン等のゴム系材料等が用いられ、弾性板４ｅにはウレタン等のゴム系材料や、発泡スチロール等の樹脂材が用いられる。この敷布団４に上記電位治療器本体１の一部および敷布団用電床板３を内蔵する際には、敷布団用電床板３を外カバー４ａと不織布４ｂとの間に収容固定するとともに、芯材４ｃを切り欠いて形成した収納部に電位治療器本体１を収納してネジ止め等により固定する。なお、敷布団４において、コストやユーザの要望により、不織布４ｂ，芯材４ｃ，弾性材４ｄ，弾性板４ｅの一部が省略されることがある。
【００２４】
上記掛布団用電床板６を内蔵する掛布団８ととしては、例えば図４（ａ），（ｂ）に示すような、長さ２０００〜２５００ｍｍ、幅９００〜２５００ｍｍ、厚さ１０〜１００ｍｍ（例えば３０ｍｍ）のものを用いるものとする。この掛布団８は、例えば図４（ｂ）の断面図において上面側から下面側に向かって、外カバー８ａ，不織布８ｂ，芯材８ｃの順に積層された積層構造になっている。外カバー８ａには動物性繊維、植物性繊維、合成繊維、化学繊維等が用いられ、芯材８ｃには動物性繊維、植物性繊維、合成繊維、化学繊維、ゴム系材料、樹脂材、フェルト、羽毛等が用いられる。この掛布団８に上記掛布団用電床板６および増設用コネクタ７を内蔵する際には、掛布団用電床板６および増設用コネクタ７を外カバー８ａと不織布８ｂとの間に収容固定する。また、増設用コネクタ７に別途用意した増設電位治療器本体を接続して増設電位治療器本体の一部を掛布団８に内蔵する際には、上記敷布団４に電位治療器本体１を収容する場合と同様に収容するものとする。なお、上記掛布団８としては、例えば羽毛入りの標準的な重量（例えば約２．７Ｋｇ）の掛布団を用いるものとする。
【００２５】
上記敷布団用電床板３および掛布団用電床板６としては、例えば図５（ａ），（ｂ）に示すような、長さ１００〜２１００ｍｍ、幅３００〜１４００ｍｍ、厚さ０．４〜２ｍｍ（例えば０．８ｍｍ）、重量１８０ｇのものを用いるものとする。なお、敷布団用電床板３および掛布団用電床板６の重量は、電床板の面積に比例し、例えば最小１００ｇ〜最大６００ｇの範囲になる。これら敷布団用電床板３および掛布団用電床板６は、例えば図５（ｂ）の断面図のように、周囲を覆う外カバー９と、外カバー９の内部に設けた電極部材１０とから成る。外カバー９は、絶縁のために必須の部材であり、塩化ビニル、ナイロン、オレフィン系を含む樹脂材料またはゴム系材料を用いるものとする。また、電極部材１０としては、布にニッケルメッキ系を施したものまたは布に金属系金属繊維を編み込んだものを用いるものとするが、代わりに、本願出願人が先に特開平１１−２４４３９６号公報において提案したような「外カバーの裏面に電床パターンを印刷又は蒸着により直接形成する構造」のものを用いてもよい。
【００２６】
上記電極部材１０は、電極が互い違いに配列される櫛形の負電位電極部１０ａおよび零電位電極部１０ｂより成り、負電位電極部１０ａおよび零電位電極部１０ｂは負電位電極および零電位電極より成る３対の電極対を構成している。これら電極対は、敷布団４および掛布団８の長手方向に対し直交する方向に配置されている。このように負電位電極および零電位電極より成る電極対を敷布団４および掛布団８の長手方向に対し直交する方向に配置した場合、ユーザの長手方向に対し直交する方向（敷布団および掛布団の長手方向に対し直交する方向）にマイナス電位分布が形成されることになるので、ユーザの所望の部位に対しマイナス電位分布を形成しやすくなる。なお、本実施形態では３対の電極対を設けるように構成しているが、２対以上であれば何対の電極対を設けてもよい。
【００２７】
次に、第１実施形態の電位治療用寝具システムの作用を図６に基づいて説明する。図６は第１実施形態の電位治療用寝具システムを構成する敷布団および掛布団間にユーザが寝た場合の電位分布の形成状態を模式的に示す図である。図６には、以下の説明を分かりやすくするために負電位電極および零電位電極より成る３対の電極対の内の２対の電極対のみを記載している。なお、図６において、敷布団用電床板３および掛布団用電床板６中に記載した黒丸印は零電位電極を示すものとし、マイナス（−）を白丸で囲った印は負電位電極およびマイナス電位を示すものとする。さらに、上記負電位電極の印に隣接するプラス（＋）を白丸で囲った印はプラス電位を示すものとし、これら隣接するプラス電位およびマイナス電位を囲った円形は、隣接するプラス電位およびマイナス電位が平衡している状態を示すものとする。
【００２８】
図６において、敷布団４に内蔵された電位治療器本体１で発生させた３００〜８００Ｖ，１〜６．５ＫＨｚの負電位を有する高圧高周波パルスをコネクタ２を介して敷布団用電床板３に出力するとともに、敷布団用電床板３および連結コネクタ５を介して掛布団用電床板６に出力した場合、ユーザ１１の体内には、以下のような複数種類のマイナス電位分布が形成される。
（ａ）敷布団用電床板３の隣接する負電位電極および零電位電極において、負電位電極から零電位電極に向かう方向（敷布団のほぼ水平方向＝ユーザを横断する方向；図６に矢印Ａ１で示す）に分布するマイナス電位分布
（ｂ）掛布団用電床板６の隣接する負電位電極および零電位電極において、負電位電極から零電位電極に向かう方向（掛布団のほぼ水平方向＝ユーザを横断する方向；図６に矢印Ａ２で示す）に分布するマイナス電位分布
（ｃ）上下方向において近接する負電位電極および零電位電極において、敷布団用電床板３および掛布団用電床板６の一方に形成された負電位電極から敷布団用電床板３および掛布団用電床板６の他方に形成された零電位電極に向かう方向（図示例の布団配置状態の場合、掛布団のほぼ垂直方向＝ユーザを縦断する方向；図６に矢印Ａ３で示す）に分布するマイナス電位分布
【００２９】
上記各マイナス電位分布について分析すると、（ａ）のマイナス電位分布は、上述した図８の従来技術と同様にして形成される、ユーザを横断する方向に分布するマイナス電位分布であり、（ｂ）のマイナス電位分布も、上述した図８の従来技術と同様にして形成される、ユーザを横断する方向に分布するマイナス電位分布であるが、（ｃ）のマイナス電位分布は、上述した図７、図８の従来技術を利用するだけでは実現できなかった（言い換えれば、本発明において新たに創造した）、ユーザを縦断する方向に分布するマイナス電位分布である。なお、上記においては、生成されるマイナス電位分布は（ａ），（ｂ），（ｃ）であるというように説明したが、実際には、それぞれ多極化した負電位電極および零電位電極の近接するもの同士の間で、上下左右の多方向に向かう複雑かつ多面的なマイナス電位分布が形成されるので、立体的なマイナス電位分布が形成されることになる。
【００３０】
上記（ａ），（ｂ）のマイナス電位分布に加えて、上記（ｃ）のユーザを縦断する方向に分布するマイナス電位分布を新たに創造することができた理由としては、（１）電位治療器本体１を小型化・軽量化することにより、邪魔にならないように、電位治療器本体１の一部を敷布団４に内蔵したこと（および掛布団８にも内蔵し得るようにしたこと）、（２）掛布団８には掛布団用電床板６および増設用コネクタ７のみを設け、敷布団４に設けた電位治療器本体１から連結コネクタ５を介して負電位を有する高圧高周波パルスを掛布団用電床板６に供給するように構成して掛布団８の軽量化を図り、ユーザに対する掛布団８側からの電位治療を実現したこと、（３）敷布団用電床板３および掛布団用電床板６をそれぞれ、負電位電極および零電位電極より成る電極対を３対具備する多極化電床として構成することにより、形成されるマイナス電位分布の細分化、マイナス電位分布の形成方向の複雑化およびマイナス電位分布の形成領域の広域化を図り、マイナス電位分布形成効率を高効率化したこと等が挙げられる。
【００３１】
次に、第１実施形態の電位治療用寝具システムを使用して電位治療を行った場合の電位治療効果の測定結果について説明する。
電位治療器本体１から３００〜８００Ｖ，１〜６．５ＫＨｚの負電位を有する高圧高周波パルスを敷布団用電床板３および掛布団用電床板６に供給したとき、図６に示す状態で第１実施形態の電位治療用寝具システムの敷布団４および掛布団８間に寝たユーザ１１の人体の電位レベルを、人体に作用した電位を検出する検出器である「イオンレーダ」で検出したところ、敷布団４側では、敷布団４から人体側に１０ｍｍ離れた部位で「イオンレーダ」が作動したが、掛布団８側では、掛布団８から人体側に９０ｍｍ離れた部位で「イオンレーダ」が作動した。この場合、「イオンレーダ」が作動する距離は、電位レベルにほぼ正比例するので、「掛布団８側の電位レベル」：「敷布団４側の電位レベル」＝９：１となり、電位レベルが大きくなるほどユーザ１１の人体に残存するマイナス電位の絶対量も増えることになるので、ユーザ１１の人体に作用する電位を生成する能力は圧倒的に掛布団側の方が敷布団側よりも高くなる（言い換えればマイナス電位分布形成効率が高くなる）ことが判明した。
【００３２】
上記のように掛布団側の方が敷布団側よりもマイナス電位分布形成効率が高くなる理由は、掛布団側は上記（ｂ），（ｃ）のマイナス電位分布は減衰要因が無いためほとんどが残存するが、敷布団側は、敷布団用電床板３の零電位電極がほぼ大地アースとして作用するため本来上記（ａ）のマイナス電位分布の形成に寄与すべき敷布団４内のマイナス電位が図６に示すように大地アースに逃げてしまうため（下向きの（ｃ）のマイナス電位分布に関しても同様の傾向がある）、結果的に上記（ａ），（ｃ）のマイナス電位分布が減衰してしまうことによるものと推定される。なお、敷布団用電床板３の零電位電極の電気抵抗を測定したところ、湿度等の外的環境条件によって若干変動するが、数ＭΩ〜数十ＭΩであったため、ほぼ大地アースと見なしても差し支えないことが確認できた。
【００３３】
よって、例えば図８に示す従来技術により敷布団側のみで電位治療を行った場合のマイナス電位分布形成効率を１と仮定すると、本実施形態の電位治療用寝具システムのマイナス電位分布形成効率は、敷布団側１＋掛布団側９＝１０となると推定できるので、図８の従来技術に比べてマイナス電位分布形成効率が画期的に増加することになる。
【００３４】
本実施形態の電位治療用寝具システムによれば、上述したように敷布団側および掛布団側の双方から電位治療を行う構成としたため、ユーザを横断する方向に分布する上記（ａ），（ｂ）のマイナス電位分布に加えてユーザを縦断する方向に分布する上記（ｃ）のマイナス電位分布を形成することが可能になるとともに、負電位電極および零電位電極の多極化に応じて複雑化された立体的なマイナス電位分布を形成することも可能になる。したがって、ユーザに対するマイナス電位分布の形成効率を著しく向上させることが可能な電位治療用寝具システムを提供することができる。
【００３５】
なお、上記第１実施形態では、「電位治療器本体１の一部、コネクタ２および敷布団用電床板３を敷布団４に内蔵させ、掛布団用電床板６および増設用コネクタ７を掛布団８に内蔵させる構成」としたが、「増設用コネクタ７および敷布団用電床板３を敷布団４に内蔵させ、電位治療器本体１の一部、コネクタ２および掛布団用電床板６を掛布団８に内蔵させる構成」としてもよい。その場合、電位治療器本体１の重量が約１１０ｇであり、掛布団８の重量が標準的な掛布団の場合に約２．７Ｋｇであるため、電位治療器本体１を掛布団８側に設けた場合であっても掛布団８全体の重量増は僅かであり、ユーザに与える影響はほとんど無い。ただし、電位治療器本体１の一部を掛布団８に内蔵させる場合には、布団表面に出っ張っても構わないため、電位治療器本体１の一部を外カバー８ａと不織布８ｂとの間に収容固定するものとする。このように電位治療器本体１の一部を掛布団８に内蔵させた場合にも、上記第１実施形態と同様の効果が得られる。
【図面の簡単な説明】
【図１】本発明の第１実施形態の電位治療用寝具システムの全体構成を示す平面図である。
【図２】（ａ），（ｂ）はそれぞれ、第１実施形態の電位治療用寝具システムの電位治療器本体の正面図および左側面図である。
【図３】（ａ），（ｂ）はそれぞれ、第１実施形態の電位治療用寝具システムの敷布団用電床板を内蔵する敷布団の平面図および縦断面図である。
【図４】（ａ），（ｂ）はそれぞれ、第１実施形態の電位治療用寝具システムの掛布団用電床板を内蔵する掛布団の平面図および縦断面図である。
【図５】（ａ），（ｂ）はそれぞれ、第１実施形態の電位治療用寝具システムの敷布団用電床板および掛布団用電床板の平面図および縦断面図である。
【図６】第１実施形態の電位治療用寝具システムによる電位治療の作用を説明するための図である。
【図７】（ａ）は電位治療器外置きタイプとして構成された従来の電位治療用寝具システムの一例の構成を示す図であり、（ｂ）は同電位治療用寝具システムの作用を説明するための図である。
【図８】（ａ）は電位治療器外置きタイプとして構成された従来の電位治療用寝具システムの他の例の構成を示す図であり、（ｂ）は同電位治療用寝具システムの作用を説明するための図である。
【符号の説明】
１  電位治療器本体
２  コネクタ
３  敷布団用電床板
４  敷布団
５  連結コネクタ
６  掛布団用電床板
７  増設用コネクタ
８  掛布団
９  外カバー
１０  電極部材
１０ａ  負電位電極部
１０ｂ  零電位電極部
１１  ユーザ
【図１】
2004305497.tif 000003
【図２】
2004305497.tif 000004
【図３】
2004305497.tif 000005
【図４】
2004305497.tif 000006
【図５】
2004305497.tif 000007
【図６】
2004305497.tif 000008
【図７】
2004305497.tif 000009
【図８】
2004305497.tif 000010